(57)【要約】【課題】いたずら等による仕切り具の取り外しを防止できるとともに、位置ずれし難く且つ仕切り具を棚板に容易に取り付けることができる陳列棚を提供すること。【解決手段】本発明の陳列棚１は、背板１９と底板２１とを有する棚板７と、棚板７に陳列した陳列物２を仕切る仕切り具９とを備え、棚板７には背板１９の前面のみに複数の係合孔２５が形成されており、仕切り具９は背板側に設けた基板３３と、基板３３から前方に突出して陳列物の載置空間を仕切る仕切り部３５と、仕切り部３５の前端から側方に突設して陳列物の前面を受ける倒れ防止部３７と、基板３３の裏面に設けて背板１９の係合孔２５に係合する係合部２７とを備え、仕切り具９の係合部２７が背板１９の係合孔２５に係合して仕切り具９を背板１９に固定している。【選択図】    図１
2004329427.tif 000002
【特許請求の範囲】
【請求項１】
背板と底板とを有する棚板と、棚板に陳列した陳列物を仕切る仕切り具とを備え、棚板には背板の前面のみに複数の係合孔が形成されており、仕切り具は背板側に設けた基板と、基板から前方に突出して陳列物の載置空間を仕切る仕切り部と、仕切り部の前端から側方に突設して陳列物の前面を受ける倒れ防止部と、基板の裏面に設けて背板の係合孔に係合する係合部とを備え、仕切り具の係合部が背板の係合孔に係合して仕切り具を背板に固定していることを特徴とする陳列棚。
【請求項２】
背板と底板とを有する棚板と、棚板に陳列した陳列物を仕切る仕切り具とを備え、棚板には背板の前面のみに複数の係合孔が形成されており、仕切り具は背板側に設けた基板と、基板から前方に突出して陳列物の載置空間を仕切る仕切り部と、基板の裏面に設けて背板の係合孔に係合する係合部とを備え、仕切り具の係合部が背板の係合孔に係合して仕切り具を背板に固定していることを特徴とする陳列棚。
【請求項３】
背板の係合孔は、仕切り具の係合部が挿入する挿入口と、挿入口に連続して且つ挿入口よりも幅の狭い嵌合口とを備え、仕切り具の係合部を挿入口から嵌合口にスライドして嵌合してあることを特徴とする請求項１又は２に記載の陳列棚。
【請求項４】
背板の係合孔は左右に等間隔で且つ仕切り具の左右の係合部間の間隔と同じかそれよりも小さい間隔で設けてあり、仕切り具は少なくとも左右の２箇所で背板に係合していることを特徴とする請求項１〜３のいずれか一項に記載の陳列棚。
【発明の詳細な説明】
【０００１】
【発明の属する技術分野】
本発明は、陳列棚に関し、特に、略扁平形状の商品を陳列する陳列棚に関する。
【０００２】
【従来の技術】
一般に、ビデオテープ、ＣＤ、ＤＶＤ、ゲームソフトや書籍等の略扁平形状の商品を陳列する場合に、表面を前面に露出させて陳列する場合がある。
【０００３】
このような陳列棚として、特許文献１の陳列棚では、棚板の背板に仕切り具を取り付けて、左右の仕切り具の間に陳列物を配置するとともに、仕切り具に設けた倒れ防止部で陳列物の前面を受ける構成が開示されている。この特許文献１の技術では、仕切り具の係合部は背板の上端に上方から係合している。
【０００４】
【特許文献１】
特開２００３−１００１４号公報
【０００５】
【発明が解決しようとする課題】
しかし、特許文献１の技術においては、仕切り具を棚板に取り付ける係合部は背板の上端に上方から係合する構成であるから、位置ずれしやすく、陳列物を上方に引き抜く場合には、仕切り具も陳列物とともに上方に引きずられて、外れてしまうことがある。
【０００６】
更に、特許文献１の技術では、背板と仕切り具との係合状態が正面から見えるとともに、仕切り具を上方に引き上げれば簡単に取り外しできるため、いたずら等により引き抜かれやすいという問題がある。
【０００７】
本発明は、上述した事情に鑑みなされたもので、いたずら等による仕切り具の取り外しを防止できるとともに、位置ずれし難く且つ仕切り具を棚板に容易に取り付けることができる陳列棚の提供を目的とする。
【０００８】
【課題を解決するための手段】
上記目的を達成するために、請求項１に記載の発明は、背板と底板とを有する棚板と、棚板に陳列した陳列物を仕切る仕切り具とを備え、棚板には背板の前面のみに複数の係合孔が形成されており、仕切り具は背板側に設けた基板と、基板から前方に突出して陳列物の載置空間を仕切る仕切り部と、仕切り部の前端から側方に突設して陳列物の前面を受ける倒れ防止部と、基板の裏面に設けて背板の係合孔に係合する係合部とを備え、仕切り具の係合部が背板の係合孔に係合して仕切り具を背板に固定していることを特徴とする。
【０００９】
この請求項１に記載の発明では、棚板への仕切り具の装着は、仕切り具に設けられている係合部を棚板の背板に形成されている係合孔に背板の前面から係合して、仕切り具を背板に固定する。陳列物は、略扁形状であり表面側を前面にして配置され、倒れ防止部は表面側を受けて陳列物が前面側に倒れるのを防止する。
【００１０】
仕切り具の係合部は背板の係合孔に係合するので、陳列物を上方に向けて引きぬいた場合に、仕切り具が陳列物と接触しているために陳列物に追随しようとするが、係合部はその上下左右の移動が規制される。したがって、陳列物が陳列棚から上方に向けて引き抜かれても仕切り具が外れることを防止できる。
【００１１】
更に、仕切り具の係合部は孔に係合して上下左右の移動が規制されているので、仕切り具が位置ずれし難く、陳列物の載置空間を保持するので、商品の補充がし易く且つ外観がよい。
【００１２】
また、係合部は基板の裏面に設けているので、係合部と係合孔との係合状態が正面から見え難く、仕切り具がいたずら等により取り外されるのを防止できる。
【００１３】
請求項２に記載の発明は、背板と底板とを有する棚板と、棚板に陳列した陳列物を仕切る仕切り具とを備え、棚板には背板の前面のみに複数の係合孔が形成されており、仕切り具は背板側に設けた基板と、基板から前方に突出して陳列物の載置空間を仕切る仕切り部と、基板の裏面に設けて背板の係合孔に係合する係合部とを備え、仕切り具の係合部が背板の係合孔に係合して仕切り具を背板に固定していることを特徴とする。
【００１４】
この請求項２に記載の発明は、棚板への仕切り具の装着は、仕切り具に設けられている係合部を棚板の背板に形成されている係合孔に背板の前面から係合して、仕切り具を背板に固定する。陳列物は、略扁形状でありその背表示側を前面にして配置されており、仕切り部が表面側を受けて陳列物が棚の長手方向に倒れるのを防止するものである。
【００１５】
仕切り具の係合部は背板の係合孔に係合して上下左右の移動が規制されているので、仕切り具が位置ずれし難く、陳列物の載置空間を保持するので、商品の補充がし易く且つ外観がよい。
【００１６】
また、仕切り具の係合部は基板の裏面に設けているので、仕切り具の係合部と背板の係合孔との係合状態が正面から見え難く、仕切り具がいたずら等により取り外されるのを防止できる。
【００１７】
請求項３に記載の発明は、請求項１又は２に記載の発明において、背板の係合孔は、仕切り具の係合部が挿入する挿入口と、挿入口に連続して且つ挿入口よりも幅の狭い嵌合口とを備え、仕切り具の係合部を挿入口から嵌合口にスライドして嵌合してあることを特徴とする。
【００１８】
この請求項３に記載の発明では、請求項１又は２に記載の発明と同様な作用効果を奏するとともに、係合孔は挿入口が広く且つそれに連続した嵌合口が狭くなっているから、仕切り具の係合部を幅の広い挿入口側から嵌合口に容易に嵌合でき、嵌合作業が簡単にできる。
【００１９】
仕切り具は、背板の嵌合口に嵌合するので、取り付け後にはがたつきがなく強固に背板に固定できる。
【００２０】
請求項４に記載の発明は、請求項１〜３のいずれか一項に記載の発明において、背板の係合孔は左右に等間隔で且つ仕切り具の左右の係合部間の間隔と同じか小さい間隔で設けてあり、仕切り具は少なくとも左右の２箇所で背板に係合していることを特徴とする。
【００２１】
この請求項４に記載の発明では、請求項１〜３のいずれか一項に記載の発明と同様な作用効果を奏するとともに、仕切り具は少なくとも左右の２箇所でそれぞれ棚板の係合孔に係合しているので、安定が良く、更にがたつきを防止できる。
【００２２】
【発明の実施の形態】
以下に、添付図面の図１〜図４を参照して本発明の実施の形態を詳細に説明する。図１は図３に示す陳列棚の分解斜視図であり、図２は図１における仕切り具の取り付け操作を説明する斜視図であり、図３は本実施の形態にかかる陳列棚の一部を示す斜視図であり、図４は仕切り具を裏面から見た平面図である。
【００２３】
本実施の形態にかかる陳列棚１は、ビデオテープやＣＤ等の略扁平形状の陳列物２を陳列する棚であって、支柱３と、棚受け５と、棚板７と、仕切り具９とから構成されている。本実施の形態では、陳列物２は扁平な表面を前面にして陳列している。
【００２４】
支柱３には前面の長手方向に係合孔１１が２列に複数形成されており、係合孔１１には、棚受け５の後面側に設けられた係合部１３が係合して、支柱３に棚受け５が取り付けられている。
【００２５】
棚受け５の前面側には、挿通孔１５が上下に２つ形成されており、各挿通孔１５に棚板７の係止片１７が挿通されて、係止片１７が挿通孔１５の下部に係止されている。これにより、棚板７が棚受け５に装着されている。
【００２６】
棚板７には、背板１９と底板２１とが設けられており、背板１９と底板２１とは一枚板を折り曲げて形成されている。底板２１の前側端には上方に折り曲げた前側突片２３が形成されており、陳列物２の下端前側を受けるようになっている。
【００２７】
背板１９には、長手方向（左右方向）に係合孔２５が複数形成されている。本実施の形態では、係合孔２５は上下２列になって、長手方向に等間隔で形成されている。
【００２８】
各係合孔２５は、仕切り具９の係合部２７（後述する）が挿入される挿入口２９と挿入口２９よりも幅の狭い嵌合口３１とが形成されている。嵌合口３１は挿入口２９の下に連続して形成されている。
【００２９】
尚、挿入口２９と嵌合口３１とは、本実施の形態では、左右の仕切り具９、９の隣り合う係合部２７、２７が同時に挿入口２９に左右並んで挿入でき、そのまま２つの係合部２７、２７を下方にスライドすることにより、同時に嵌合口３１に嵌合するようになっている（図２参照）。
【００３０】
仕切り具９は、基板３３と、仕切り部３５と、倒れ防止部３７と、基板３３の裏面に設けた係合部２７とを備えている。尚、本実施の形態では、仕切り具９のほかに仕切り具９ａを設けているが、仕切り具９ａは棚板７の端部用の仕切り具であり、仕切り具９が倒れ防止部３７を左右両側に合計２個設けているのに対して端部用の仕切り具９ａには、倒れ防止部３７を片側のみ（１個のみ）設けている点が異なっている。その他の点は仕切り具９と端部用の仕切り具９ａとで略同じ構成であるから、一方の仕切り具９のみを説明する。
【００３１】
仕切り具９の基板３３は、棚板７の背板１９に配置され、基板３３の裏面に設けた係合部２７が背板１９の係合孔２５に係合するようになっている。基板３３の左右側の一縁には前方に突設する仕切り部３５が設けられている。この仕切り部３５は、棚板７の長手方向において、隣り合う陳列物２の載置空間を仕切るものである。
【００３２】
係合部２７は、基板３３の裏面四隅に設けており、基板３３の周縁から内側（基板面側）に曲げられて断面略Ｌ字形状を成している。尚、本実施の形態では、基板３３は略長方形形状であり、基板３３の裏面は左右上下が線対称となっており、左右を反転して取り付けることができる。また、本実施の形態では、基板３３の裏面には基板３３の左右側にそれぞれ係合部２７を設けているので、仕切り具９（又は９ａ）の左右を反転して取り付けた場合に、仕切り具９を安定して背板１９に取り付けできる。左右を反転して取り付けることにより、図１に示す仕切り具９ａのように、片側にのみ倒れ防止部３７を有する場合には仕切り具９ａの左右を反転させることにより、一つの倒れ防止部３７を左右何れにも位置させることができ、左側に倒れ防止部３７を設ける場合と右側に倒れ防止部３７を設ける場合とを一つの仕切り具９で併用することができる。
【００３３】
更に、倒れ防止部３７の位置を基板３３の上下方向略中央でなく上方側又は下方側のいずれかの側に偏った位置に取り付けた場合には、仕切り具９（又は９ａ）の左右を反転して取り付けることにより倒れ防止部３７の上下位置を変更することができる。
【００３４】
倒れ防止部３７は、陳列物２の扁平な表面を前面側で受けて、陳列物２が前面側に倒れるのを防止している。
【００３５】
次に、本実施の形態にかかる陳列棚１の組み立て及び作用について説明する。陳列棚１の組み立ては、支柱３の係合孔１１に棚受け５の係合部１３を係合し、棚受け５の挿通孔１５に棚板７の係止片１７を挿通して棚板７を下方に押し込むことにより、係止片１７が棚受け５に係止されて、棚板７を支柱３に固定する。棚板７は、前面に係合孔１１が形成された汎用の支柱３の任意の位置に装着することができる。
【００３６】
次に、棚板７に仕切り具９を装着する。この場合、図２に示すように、仕切り具９の係合部２７を背板１９の係合孔２５の挿入口２９に挿入した後、仕切り具９を下方に押し下げて嵌合口３１に係合部２７を嵌合する。このように、仕切り具９はワンタッチで簡単に装着できる。また、仕切り具９を嵌合により背板７の嵌合口３１に嵌合するので、がたつきがなく強固に背板に固定できる。
【００３７】
仕切り具９は上下左右の４箇所で係合部に係合しているので、左右のがたつきを防止できるとともに、更に強固に取り付けできる。また、左右上下で線対称の位置に係合部２７があるので、左右を逆にして取り付けることもできる。
【００３８】
また、本実施の形態では、左右の仕切り具９を２つ一緒に嵌合することもでき、取り付け作業性が良い。
【００３９】
係合部２７は係合孔２５に係合するので、陳列物２を上方に向けて引き抜いた場合に、仕切り具９が陳列物に追随しようとすると、係合部２７は係合孔２５により移動が規制されるので、そのまま外れることがない。
【００４０】
更に、仕切り具９の係合部２７は、係合孔２５により上下左右の移動が規制されているから、仕切り具９が位置ずれし難く、陳列物２の載置空間の仕切り位置を保持するので、商品の補充がし易く且つ外観がよい。
【００４１】
係合部２７は基板３３の裏面に設けているので、係合部２７と係合孔２５との係合状態が正面から見え難く簡単に取り外しできないため、仕切り具９がいたずら等により取り外され難い。
【００４２】
更に、本実施の形態では、図３に示すように、支柱３に棚板７、７を左右に隣合わせに設け、一方の棚板７に取り付けた仕切り具９と、他方の棚板７に設けた仕切り具９とで左右の棚板７に跨って商品２を配置することもできる。これによれば、陳列棚１に隙間なく商品を陳列することができ、デットスペースを少なくできる。この場合、図１に示すように、棚板７、７の左右方向の端７ａ、７ｂには、係合孔２５の左右の半分を形成する切欠き２５ａを形成してあり、図３に示すように左右の棚板７、７の端７ａ、７ｂを付き合わせて係合孔２５を形成するものである。
【００４３】
本発明は、上述した実施の形態に限定されず、本発明の要旨を逸脱しない範囲で種々変形可能である。
例えば、略扁平な陳列物２の背表紙が前面に位置するように陳列物を棚板７に並べる場合には、仕切り具９には倒れ防止部３７を設けない構成としてもよい。
【００４４】
また、ひとつの係合孔２５に左右の２つの係合部２７、２７を一緒に係合することに限らず、一つの係合孔２５に一つの係合部２７を取り付けるものであってもよい。
【００４５】
仕切り具９において、係合部２７は基板３３の裏面の四隅に設けることに限らず、基板３３の対向する２辺に一つづつ設けるものであってもよい。
【００４６】
仕切り具９において、仕切り部３５は基板３３の左右側の縁に設けることに限らず、略中央に設けるものであってもよい。
【００４７】
隣り合う仕切り具９、９は、図３に示すように隣接して取り付けることに限らず、隣り合う仕切り具９、９の間隔をあけて取り付けても良い。
【００４８】
背板２５の左右で隣合う係合孔２５、２５間の間隔は、仕切り具９、９ａの左右の係合部２７、２７間の間隔と同じであってもよいし、係合部２７、２７間の間隔の１／２、１／３、１／４の割合の間隔にして、係合部２７、２７間の間隔よりも小さくしてもよい。
【００４９】
【発明の効果】
請求項１及び２に記載の発明によれば、仕切り具の係合部は背板の係合孔に係合して、その上下左右の移動が規制されるので、陳列物が陳列棚から上方に向けて引き抜かれても仕切り具が外れることを防止できる。
【００５０】
仕切り具の係合部は係合孔に係合してその上下左右の移動が規制されているので、仕切り具が位置ずれし難く、陳列物の載置空間を保持するので、商品の補充がし易く且つ外観がよい。
【００５１】
係合部は基板の裏面に設けているので、係合部と係合孔との係合状態が正面から見え難く、仕切り具がいたずら等により取り外されるのを防止できる。
【００５２】
尚、請求項１に記載の発明では、陳列物は、略扁形状であり表面側を前面にして配置され、倒れ防止部は表面側を受けて陳列物が前面側に倒れるのを防止し、請求項２に記載の発明では、陳列物は、略扁形状でありその背表示側を前面にして配置されており、仕切り部が表面側を受けて陳列物が棚の長手方向に倒れるのを防止する。
【００５３】
請求項３に記載の発明によれば、請求項１又は２に記載の発明と同様な効果を奏するとともに、係合孔には挿入口とそれに連続した幅の狭い嵌合口が形成されているから、仕切り具の係合部を幅の広い挿入口側から嵌合口に容易に嵌合でき、嵌合作業が簡単にできる。
【００５４】
仕切り具は、背板の嵌合口に嵌合するので、取り付け後にはがたつきがなく強固に背板に固定できる。
【００５５】
請求項４に記載の発明によれば、請求項１〜３のいずれか一項に記載の発明と同様な効果を奏するとともに、仕切り具は少なくとも左右の２箇所でそれぞれ棚板の係合孔に係合しているので、安定が良く、更にがたつきを防止できる。
【図面の簡単な説明】
【図１】図３に示す陳列棚の分解斜視図である。
【図２】図１における仕切り具の取り付け操作を説明する斜視図である。
【図３】本実施の形態にかかる陳列棚の斜視図である。
【図４】仕切り具を裏面から見た平面図である
【符号の説明】
１    陳列棚
２    陳列物
７    棚板
９、９ａ    仕切り具
１９  背板
２１  底板
２５  係合孔
２７  係合部
２９  挿入口
３１  嵌合口
３３  基板
３５  仕切り部
３７  倒れ防止部
【図１】
2004329427.tif 000003
【図２】
2004329427.tif 000004
【図３】
2004329427.tif 000005
【図４】
2004329427.tif 000006